(57)【要約】【課題】ブローバイガスの処理をより一層速やかに行うことのできる内燃機関のブローバイガス処理装置を提供する。【解決手段】空燃比フィードバック制御が行われているときには流量制御弁１４の開度が基本開度Ｂｂ（最適開度）に調整され、それによって同制御に起因する燃料噴射量の最小噴射量Ｑmin 未満への減少を抑制しつつ、ブローバイガスを速やかに処理することが行われる。更に、空燃比フィードバック制御が行われず、且つ吸気通路３に戻されるブローバイガスがエンジン運転に過大な影響を及ぼすことのないエンジン運転状態にあるときには、流量制御弁１４の開度が上記基本開度Ｂｂよりも開き側の開度である拡大開度Ｂｗに調整される。これによりブローバイガスの処理をより一層速やかに行うことができるようになる。【選択図】図１
2009185664.tif 000002
【特許請求の範囲】
【請求項１】
排気中の酸素濃度に応じて増減するフィードバック補正値に基づき燃料噴射量を補正することで燃焼室内の空燃比を目標値へと制御する空燃比フィードバック制御が実施される内燃機関に適用され、前記燃焼室から漏れたブローバイガスを吸気通路に戻す際のガス流量を可変とすべく開度調整される流量制御弁と、その流量制御弁の開度が機関運転状態に応じて定められる最適開度に調整されるよう同流量制御弁を駆動制御する制御手段とを備える内燃機関のブローバイガス処理装置において、
前記最適開度は、前記空燃比フィードバック制御の実行中に前記燃料噴射量を最小噴射量以上とし得る前記流量制御弁の開度範囲内のうち最も開き側の開度であり、
前記制御手段は、前記空燃比フィードバック制御が行われず、且つ前記吸気通路に戻されるブローバイガスが機関運転に過大な影響を及ぼすことのない機関運転状態にあるとき、前記流量制御弁を前記最適開度よりも開き側の開度である拡大開度となるように駆動するものである
ことを特徴とする内燃機関のブローバイガス処理装置。
【請求項２】
前記内燃機関は、車両に搭載されて同車両の減速中にフューエルカットが実行され、同機関の排気通路に未燃燃料成分を処理して浄化する触媒が設けられるものであり、
前記空燃比フィードバック制御は、前記フューエルカットの実行中、前記フィードバック補正値の増減の停止を通じて実行停止されるものであり、
前記制御手段は、前記フューエルカットの実行中、前記流量制御弁を前記拡大開度となるように駆動する
請求項１記載の内燃機関のブローバイガス処理装置。
【請求項３】
前記制御手段は、機関温度が高いか否かの判断、及び前記ブローバイガス中の燃料濃度が高いか否かの判断を行い、それら判断の両方が肯定であるときのみ、前記流量制御弁をその開度が前記拡大開度となるよう駆動する
請求項１又は２記載の内燃機関のブローバイガス処理装置。
【請求項４】
前記制御手段は、前記ブローバイガス中の燃料濃度が高いほど、前記拡大開度を閉じ側の値となるよう可変設定する
請求項３記載の内燃機関のブローバイガス処理装置。
【請求項５】
前記制御手段は、車速の高い状態のときほど前記拡大開度を閉じ側の値となるように可変設定する
請求項２〜４のいずれか一項に記載の内燃機関のブローバイガス処理装置。
【請求項６】
前記制御手段は、車両の減速中に内燃機関のポンピングロスを利用した車両の制動を必要レベルとし得る同流量制御弁の開度範囲のうち、最も開き側の値を前記拡大開度として用いる
請求項２〜５のいずれか一項に記載の内燃機関のブローバイガス処理装置。
【請求項７】
前記内燃機関は、前記燃焼室内の空燃比を前記目標値よりもリッチにすべく燃料噴射量を増量する燃料増量制御が実行されるものであり、
前記空燃比フィードバック制御は、前記燃料増量制御の実行中、前記フィードバック補正値の増減の停止を通じて実行停止されるものであり、
前記制御手段は、前記燃料増量制御の実行中、前記流量制御弁をその開度が前記拡大開度となるように駆動する
請求項１記載の内燃機関のブローバイガス処理装置。
【請求項８】
前記制御手段は、機関温度が高いか否かの判断、及び前記ブローバイガス中の燃料濃度が高いか否かの判断を行い、それら判断の両方が肯定であるときのみ、前記流量制御弁をその開度が前記拡大開度となるよう駆動する
請求項７記載の内燃機関のブローバイガス処理装置。
【請求項９】
前記制御手段は、前記ブローバイガス中の燃料濃度が高いほど、前記拡大開度を閉じ側の値となるよう可変設定する
請求項７又は８記載の内燃機関のブローバイガス処理装置。
【請求項１０】
前記制御手段は、燃料中のアルコール濃度を検出するとともに、そのアルコール濃度が高いほど前記拡大開度を開き側の値となるように可変設定する
請求項７〜９のいずれか一項に記載の内燃機関のブローバイガス処理装置。
【請求項１１】
前記制御手段は、前記流量制御弁を前記最適開度よりも開き側の開度に駆動したときの燃料増量制御への影響を許容し得る同流量制御弁の開度範囲のうち、最も開き側の値を前記拡大開度として用いる
請求項７〜１０のいずれか一項に記載の内燃機関のブローバイガス処理装置。
【発明の詳細な説明】
【技術分野】
【０００１】
本発明は、内燃機関のブローバイガス処理装置に関する。
【背景技術】
【０００２】
自動車等の車両に搭載される内燃機関においては、燃料噴射弁の燃料噴射量の指令値である噴射量指令値が機関運転に必要な燃料量を得るための値として機関運転状態に基づき算出され、その噴射量指令値に対応した燃料が噴射されるよう上記燃料噴射弁が駆動制御される。
【０００３】
こうした内燃機関では、内燃機関の排気中の酸素濃度に基づき増減するフィードバック補正値に基づき上記噴射量指令値を補正することで、同機関の燃焼室で燃焼される混合気の実際の空燃比を目標値（例えば理論空燃比）へと制御する、いわゆる空燃比フィードバック制御が行われる。この空燃比フィードバック制御では、内燃機関における燃焼室内の混合気の空燃比が上記目標値よりもリッチ側の値になると、それに対応した排気中の酸素濃度の変化に基づきフィードバック補正値が減少し、同補正値に基づき噴射量指令値が減少側に補正される。また、内燃機関における燃焼室内の混合気の空燃比が上記目標値よりもリーン側の値になると、それに対応した排気中の酸素濃度の変化に基づきフィードバック補正値が増加し、同補正値に基づき噴射量指令値が増加側に補正される。以上のような空燃比フィードバック制御の実行により、内燃機関における燃焼室内の混合気の空燃比が目標値へと制御される。
【０００４】
また、内燃機関においては、運転中に燃焼室からシリンダ内壁とピストンリングとの間を介してクランクケースに燃料を含んだガス（ブローバイガス）が漏れるため、その燃料が含まれるガスを吸気通路に戻して処理するためのブローバイガス処理装置が設けられる。同装置には燃焼室から漏れたブローバイガスを吸気通路に戻す際のガス流量を可変とすべく開度調整される流量制御弁が設けられており（特許文献１参照）、同流量制御弁としては例えば機関運転状態に応じて任意の開度に調整可能な電磁弁を採用することが考えられる。同装置によってブローバイガスが吸気通路に戻されているときには、同ガスに含まれる燃料が燃焼室での燃焼に用いられるため、内燃機関における燃焼室内の混合気の空燃比が目標値に対しリッチ化する。しかし、こうした空燃比のリッチ化に関しては、空燃比フィードバック制御による噴射量指令値の減量補正を通じて抑制が図られる。
【０００５】
ここで、ブローバイガス処理装置における流量制御弁の開度調整について詳しく説明する。
流量制御弁の開度に関しては、ブローバイガスの処理を速やかに行う観点から、同ガスのガス流量を多くすべく可能な限り開き側（増大側）の値とすることが好ましい。ただし、流量制御弁の開度を大きくし過ぎて吸気通路に戻されるブローバイガスのガス流量が多くなり過ぎると、それに伴う燃焼室内の混合気の空燃比のリッチ化を抑えるための空燃比フィードバック制御による燃料噴射弁の燃料噴射量の減量補正も過度に大きく行われる。その結果、燃料噴射弁の燃料噴射量が同燃料噴射弁からの安定した燃料噴射を実現可能な下限値である最小噴射量未満になり、燃料噴射弁からの安定した燃料噴射を行えなくなるおそれがある。こうしたことを考慮して、燃料噴射弁の燃料噴射量を最小噴射量以上とし得る範囲で可能な限り大きな開度である流量制御弁の最適開度を機関運転状態に基づき求め、その最適開度が得られるよう流量制御弁の駆動制御を行うことが考えられる。以上のような流量制御弁の開度調整を行うことにより、ブローバイガスの速やかな処理を図りつつ、空燃比フィードバック制御に起因する燃料噴射量の最小噴射量未満への減少を抑制することが可能になる。
【特許文献１】実開平１−１７９１１２公報（第１３頁１８〜２０行）
【発明の開示】
【発明が解決しようとする課題】
【０００６】
上述したように機関運転状態に基づき流量制御弁の最適開度を求め、その最適開度が得られるよう流量制御弁を駆動制御することで、ブローバイガスの速やかな処理を図りつつ、空燃比フィードバック制御に起因する燃料噴射量の最小噴射量未満への減少を抑制することが可能にはなる。ただし、ブローバイガスの処理は可能な限り速やかに行うことが好ましく、その面での更なる改善の要求がある。
【０００７】
本発明はこのような実情に鑑みてなされたものであって、その目的は、ブローバイガスの処理をより一層速やかに行うことのできる内燃機関のブローバイガス処理装置を提供することにある。
【課題を解決するための手段】
【０００８】
以下、上記目的を達成するための手段及びその作用効果について記載する。
上記目的を達成するため、請求項１記載の発明では、排気中の酸素濃度に応じて増減するフィードバック補正値に基づき燃料噴射量を補正することで燃焼室内の空燃比を目標値へと制御する空燃比フィードバック制御が実施される内燃機関に適用され、前記燃焼室から漏れたブローバイガスを吸気通路に戻す際のガス流量を可変とすべく開度調整される流量制御弁と、その流量制御弁の開度が機関運転状態に応じて定められる最適開度に調整されるよう同流量制御弁を駆動制御する制御手段とを備える内燃機関のブローバイガス処理装置において、前記最適開度は、前記空燃比フィードバック制御の実行中に燃料噴射量を最小噴射量以上とし得る前記流量制御弁の開度範囲内のうち最も開き側の開度であり、前記制御手段は、前記空燃比フィードバック制御が行われず、且つ前記吸気通路に戻されるブローバイガスが機関運転に過大な影響を及ぼすことのない機関運転状態にあるとき、前記流量制御弁を前記最適開度よりも開き側の開度である拡大開度となるように駆動するものとした。
【０００９】
上記構成によれば、空燃比フィードバック制御が行われているときには流量制御弁の開度が最適開度に調整され、それによって同制御に起因する燃料噴射量の最小噴射量未満への減少を抑制しつつ、ブローバイガスの速やかな処理が図られる。更に、空燃比フィードバック制御が行われず、且つ前記吸気通路に戻されるブローバイガスが機関運転に過大な影響を及ぼすことのない機関運転状態にあるときには、流量制御弁の開度が上記最適開度よりも開き側の開度である拡大開度に調整され、それによってブローバイガスの処理がより一層速やかに行われることとなる。なお、このときには空燃比フィードバック制御が実行されていないため、流量制御弁の開度を上記拡大開度に調整したとしても、上記空燃比フィードバック制御に起因して燃料噴射量が最小噴射量未満になることはない。
【００１０】
請求項２記載の発明では、請求項１記載の発明において、前記内燃機関は、車両に搭載されて同車両の減速中にフューエルカットが実行され、同機関の排気通路に未燃燃料成分を処理して浄化する触媒が設けられるものであり、前記空燃比フィードバック制御は、前記フューエルカットの実行中、前記フィードバック補正値の増減の停止を通じて実行停止されるものであり、前記制御手段は、前記フューエルカットの実行中、前記流量制御弁を前記拡大開度となるように駆動するものとした。
【００１１】
車両の減速に伴い内燃機関のフューエルカットが行われると、空燃比フィードバック制御が停止されるため、流量制御弁の開度を最適開度よりも開き側の値として吸気通路に戻されるブローバイガスのガス流量を多くしても、上記空燃比フィードバック制御に起因して燃料噴射量が最小噴射量未満となることはない。そして、フューエルカット中に吸気通路に戻されるブローバイガス中の燃料成分は、内燃機関を通過して同機関の排気通路に設けられた触媒にて処理されることとなる。内燃機関のフューエルカット中は同機関の自立運転が停止されているため、吸気通路に戻されるブローバイガスが内燃機関の運転に影響を及ぼすことはない。このように、内燃機関のフューエルカット中に流量制御弁の開度を拡大開度に調整することで、ブローバイガスの処理をより一層速やかに行うことができる。
【００１２】
請求項３記載の発明では、請求項１又は２記載の発明において、前記制御手段は、機関温度が高いか否かの判断、及び前記ブローバイガス中の燃料濃度が高いか否かの判断を行い、それら判断の両方が肯定であるときのみ、前記流量制御弁をその開度が前記拡大開度となるよう駆動するものとした。
【００１３】
ブローバイガス中の燃料濃度が高い旨判断されるときには、吸気通路にブローバイガスを戻して同ガスの処理を速やかに行う必要性が高くなる。また、機関温度が高い旨判断されるときには、内燃機関におけるクランクケース内の潤滑油に混合した燃料が揮発してブローバイガス中の燃料濃度が高くなる。上記構成によれば、このような状況下で、車両の減速に伴う内燃機関のフューエルカット中の流量制御弁の開度が拡大開度に調整されるため、ブローバイガスの処理を速やかに行う必要性の高いときに同処理を速やかに行うことができる。
【００１４】
請求項４記載の発明では、請求項３記載の発明において、前記制御手段は、前記ブローバイガス中の燃料濃度が高いほど、前記拡大開度を閉じ側の値となるよう可変設定するものとした。
【００１５】
上記構成によれば、上記ブローバイガス中の燃料濃度に基づく拡大開度の可変設定により、吸気通路に戻されるブローバイガスによって排気通路に流される燃料成分の量が触媒にて処理することの可能な量を越えないよう、且つ上記ブローバイガスのガス流量が可能な限り多い量となるよう、同ガス流量を調整することが可能になる。従って、ブローバイガスの処理を速やかに行いつつ、同ガスによって排気通路に流される燃料成分を触媒にて処理しきれなくなることを抑制できる。
【００１６】
請求項５記載の発明では、請求項２〜４のいずれか一項に記載の発明において、前記制御手段は、車速の高い状態のときほど前記拡大開度を閉じ側の値となるように可変設定するものとした。
【００１７】
車両の減速に伴う内燃機関のフューエルカット中、流量制御弁の開度を開き側の値にすればするほど、内燃機関のポンピングロスが低減してゆくため、そのポンピングロスを利用した車両の制動（いわゆるエンジンブレーキ）も生じにくくなる。上記構成によれば、車両の減速に伴うフューエルカット中の流量制御弁の開度である拡大開度は、上記ポンピングロスを利用した車両の制動を必要とする車速の高い状態のときほど、閉じ側の値となるよう可変設定される。このため、上記ポンピングロスを利用した車両の制動を必要レベルに保持しつつ、可能な限り流量制御弁の開度を開き側の値としてブローバイガスの処理を速やかに行うことが可能になる。
【００１８】
請求項６記載の発明では、請求項２〜５のいずれか一項に記載の発明において、前記制御手段は、車両の減速中に内燃機関のポンピングロスを利用した車両の制動を必要レベルとし得る同流量制御弁の開度範囲のうち、最も開き側の値を前記拡大開度として用いるものとした。
【００１９】
上記構成によれば、フューエルカット中に流量制御弁の開度が拡大開度に調整されたとき、それによる車両の減速時における内燃機関のポンピングロスを利用した制動を必要レベル以上に保持しつつ、ブローバイガスの処理を最も効率よく処理可能な状態とすることができる。
【００２０】
請求項７記載の発明では、請求項１記載の発明において、前記内燃機関は、前記燃焼室内の空燃比を前記目標値よりもリッチにすべく燃料噴射量を増量する燃料増量制御が実行されるものであり、前記空燃比フィードバック制御は、前記燃料増量制御の実行中、前記フィードバック補正値の増減の停止を通じて実行停止されるものであり、前記制御手段は、前記燃料増量制御の実行中、前記流量制御弁をその開度が前記拡大開度となるように駆動するものとした。
【００２１】
燃料増量制御が実行されるときには、空燃比フィードバック制御が停止されるため、流量制御弁の開度を最適開度よりも開き側の値として吸気通路に戻されるブローバイガスのガス流量を多くしても、上記空燃比フィードバック制御に起因して燃料噴射量が最小噴射量未満となることはない。また、流量制御弁の開度を拡大開度に調整することにより吸気通路に戻されるブローバイガスのガス流量が増加して燃焼室に供給される燃料成分の量が増えたとしても、それによる増加は、燃料増量制御による燃料噴射量の増量によって燃焼室に供給される燃料の増加に比べると少ない。従って、流量制御弁の開度を拡大開度に調整することにより、吸気通路に戻されるブローバイガスのガス流量が増えたとしても、それが機関運転に過大な影響を及ぼすことはない。このように、内燃機関の燃料増量制御中に流量制御弁の開度を拡大開度に調整することで、ブローバイガスの処理をより一層速やかに行うことができる。
【００２２】
請求項８記載の発明では、請求項７記載の発明において、前記制御手段は、機関温度が高いか否かの判断、及び前記ブローバイガス中の燃料濃度が高いか否かの判断を行い、それら判断の両方が肯定であるときのみ、前記流量制御弁をその開度が前記拡大開度となるよう駆動するものとした。
【００２３】
ブローバイガス中の燃料濃度が高い旨判断されるときには、吸気通路にブローバイガスを戻して同ガスの処理を速やかに行う必要性が高くなる。また、機関温度が高い旨判断されるときには、内燃機関におけるクランクケース内の潤滑油に混合した燃料が揮発してブローバイガス中の燃料濃度が高くなる。上記構成によれば、このような状況下で、内燃機関の燃料増量制御中の流量制御弁の開度が拡大開度に調整されるため、ブローバイガスの処理を速やかに行う必要性の高いときに同処理を速やかに行うことができる。
【００２４】
請求項９記載の発明では、請求項７又は８記載の発明において、前記制御手段は、前記ブローバイガス中の燃料濃度が高いほど、前記拡大開度を閉じ側の値となるよう可変設定するものとした。
【００２５】
ブローバイガス中の燃料濃度が高いほど、吸気通路にブローバイガスを戻したときに、それによる燃料増量制御への影響が大きくなる。上記構成によれば、上記ブローバイガス中の燃料濃度に基づく拡大開度の可変設定により、吸気通路にブローバイガスを戻すことによる燃料増量制御への影響が許容レベル未満となるよう、且つ上記ブローバイガスのガス流量が可能な限り多い量となるよう、同ガス流量を調整することが可能になる。従って、ブローバイガスの処理を速やかに行いつつ、同ガスによる燃料増量制御への影響を許容レベル未満に抑えることができる。
【００２６】
請求項１０記載の発明では、請求項７〜９のいずれか一項に記載の発明において、前記制御手段は、燃料中のアルコール濃度を検出するとともに、そのアルコール濃度が高いほど前記拡大開度を開き側の値となるように可変設定するものとした。
【００２７】
燃料中のアルコール濃度が高いほど、燃焼室内の混合気を完全燃焼させるための空燃比がリッチ側の値になることから、ブローバイガスの処理において、より多量のブローバイガスを吸気通路に戻すことが可能になる。上記構成によれば、そのことを考慮して、燃料中のアルコール濃度が高いほど、燃料増量制御中における流量制御弁の開度とされる拡大開度を開き側の値となるように可変設定可能なため、ブローバイガスの処理をより一層速やかに行うことができる。
【００２８】
請求項１１記載の発明では、請求項７〜１０のいずれか一項に記載の発明において、前記制御手段は、前記流量制御弁を前記最適開度よりも開き側の開度に駆動したときの燃料増量制御への影響を許容し得る同流量制御弁の開度範囲のうち、最も開き側の値を前記拡大開度として用いるものとした。
【００２９】
上記構成によれば、燃料増量制御中に流量制御弁の開度が拡大開度に調整されたとき、それによる燃料増量制御の影響を許容レベル未満に抑えつつ、ブローバイガスの処理を最も効率よく処理可能な状態とすることができる。
【発明を実施するための最良の形態】
【００３０】
［第１実施形態］
以下、本発明を自動車用エンジンに適用した第１実施形態について、図１〜図４を参照して説明する。
【００３１】
図１に示されるエンジン１においては、各気筒の燃焼室２に吸気通路３及び排気通路４が接続されている。そして、エンジン１の吸入空気量を調整するためのスロットルバルブ１１が設けられた吸気通路３を介して燃焼室２に空気が吸入されるとともに、各気筒に対応する燃料噴射弁５から燃焼室２内に燃料が噴射供給されることにより、燃焼室２内に空気と燃料とからなる混合気が充填される。この混合気が各気筒の点火プラグ６による点火に基づき燃焼すると、そのときの燃焼エネルギによってピストン７が往復移動するとともに、エンジン１の出力軸であるクランクシャフト８が回転する。また、燃焼後の混合気は排気として排気通路４に送り出され、その排気は排気通路４に設けられた触媒１５によって浄化される。具体的には、触媒１５によって、排気における一酸化炭素（ＣＯ）、窒素酸化物（ＮＯｘ）、及び炭化水素（ＨＣ）に関する浄化が図られる。
【００３２】
なお、エンジン１の圧縮行程や膨張行程においては、燃焼室２に存在するガスの一部がブローバイガスとして燃料とともにピストンリング７ａとシリンダ内壁９との間からクランクケース１０内に漏れる。このブローバイガスとともにクランクケース１０内に漏れる燃料は、シリンダ内壁９に付着した燃料のうち、ピストン７の往復移動に伴いピストンリング７ａによってクランクケース１０内に掻き落とされるものである。従って、クランクケース１０内に漏れたブローバイガスには燃料が含まれており、同燃料の量はシリンダ内壁９に多量の燃料が付着するエンジン低温時ほど多くなる。また、クランクケース１０内に漏れたブローバイガス中の燃料は、エンジン１の暖機完了前などの同ケース１０内の潤滑油が低温であるときには同潤滑油に混合されて蓄積されてゆき、エンジン１の暖機完了後など潤滑油が高温になることにより揮発して同潤滑油から分離されるようになる。
【００３３】
エンジン１には、クランクケース１０内に存在する揮発燃料を燃焼室２から漏れたブローバイガスとともに吸気通路３に戻して処理するブローバイガス処理装置が設けられている。
【００３４】
同装置は、吸気通路３におけるスロットルバルブ１１の上流側の部分に接続されてクランクケース１０内に新気を導入する新気導入通路１２と、クランクケース１０内のブローバイガスを吸気通路３に戻すべく同通路３におけるスロットルバルブ１１の下流側の部分に接続されたガス流出通路１３とを備えている。また、ガス流出通路１３にはブローバイガスを吸気通路３に戻す際のガス流量を調整する流量制御弁１４が設けられている。この流量制御弁１４は、電磁ソレノイド等により開度調整される電動式のものであって、その開度を開き側に調整するほどガス流出通路１３から吸気通路３に流れるガスの流量を多くするものである。そして、同装置においては、新気導入通路１２からクランクケース１０内への新気導入により、燃焼室２から漏れたブローバイガスがクランクケース１０内に存在する揮発燃料を含んだ状態でガス流出通路１３を介して吸気通路３に戻されるようになる。
【００３５】
次に、ブローバイガス処理装置の電気的構成について説明する。
ブローバイガス処理装置は、自動車に搭載されてエンジン１等に関する各種制御を実行する電子制御装置１９を備えている。この電子制御装置１９は、上記制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等を備えて構成されている。
【００３６】
電子制御装置１９の入力ポートには、以下に示す各種センサ等が接続されている。
・自動車の運転者によって踏込操作されるアクセルペダル２０の踏み込み量（アクセル踏込量）を検出するアクセルポジションセンサ２１。
【００３７】
・エンジン１の吸気通路３に設けられたスロットルバルブ１１の開度（スロットル開度）を検出するスロットルポジションセンサ２２。
・吸気通路３を介して燃焼室２に吸入される空気の量を検出するエアフロメータ２３。
【００３８】
・クランクシャフト８の回転に対応した信号を出力するクランクポジションセンサ２４。
・エンジン１の冷却水温を検出する水温センサ２５。
【００３９】
・排気通路４を流れる排気中の酸素濃度に対応した信号を出力する酸素（Ｏ2 ）センサ２６。
・自動車の車速を検出する車速センサ２７。
【００４０】
また、電子制御装置１９の出力ポートには、燃料噴射弁５、点火プラグ６、スロットルバルブ１１、及び流量制御弁１４等の駆動回路が接続されている。
電子制御装置１９は、上記各センサから入力された検出信号より把握されるエンジン運転状態に応じて、上記出力ポートに接続された各機器類の駆動回路に指令信号を出力する。こうして点火プラグ６の点火時期制御、スロットルバルブ１１の開度制御、燃料噴射弁５による燃料噴射の制御、及び流量制御弁１４の開度制御等の各種制御が電子制御装置１９により実施されている。
【００４１】
エンジン１の燃料噴射制御としては、燃料噴射弁５からの燃料の噴射量の制御である燃料噴射量制御があげられる。こうした燃料噴射量制御は、電子制御装置１９による燃料噴射弁５の駆動を通じて実現される。即ち、電子制御装置１９は、エンジン運転に必要とされる燃料量を得るための燃料噴射弁５の燃料噴射量の指令値として噴射量指令値Ｑfin をエンジン運転状態に基づき算出し、この噴射量指令値Ｑfin に基づく燃料噴射弁５の駆動制御により、同燃料噴射弁５から上記噴射量指令値Ｑfin に対応した量の燃料を噴射させる。上記噴射量指令値Ｑfin は、以下の式（１）を用いて、基本燃料噴射量Ｑbase、フィードバック補正係数ＦＡＦ、及びその他の補正係数Ｘに基づき算出される。
【００４２】
Ｑfin ＝Ｑbase・ＦＡＦ・Ｘ      …（１）
Ｑfin ：噴射量指令値
Ｑbase：基本燃料噴射量
ＦＡＦ：フィードバック補正係数
Ｘ    ：その他の補正係数
式（１）において、基本燃料噴射量Ｑbaseは、エンジン回転速度及びエンジン負荷等に基づき算出され、そのエンジン運転状態にあって必要とされる理論上の燃料噴射量を表す値となる。ここで用いられるエンジン回転速度は、クランクポジションセンサ２４からの検出信号に基づき求められる。また、エンジン負荷は、エンジン１の吸入空気量に対応するパラメータと上記エンジン回転速度とから算出される。なお、吸入空気量に対応するパラメータとしては、例えば、エアフロメータ２３からの検出信号に基づき求められるエンジン１の吸入空気量の実測値が用いられる。そして、上記基本燃料噴射量Ｑbaseに関しては、エンジン１の吸入空気量が多くなるほど大きくなるように算出される。
【００４３】
また、フィードバック補正係数ＦＡＦは、エンジン１の排気中の酸素濃度に応じて増減し、エンジン１の空燃比を目標値（理論空燃比）に近づけるように噴射量指令値Ｑfin （基本燃料噴射量Ｑbase）を補正するための値である。より詳しくは、フィードバック補正係数ＦＡＦに関しては、酸素センサ２６からの検出信号が理論空燃比で混合気を燃焼させたときの酸素濃度に対応する値よりも酸素濃度の低い側の値であるときには、上記混合気の空燃比が理論空燃比よりもリッチであることから、燃料噴射量を減量補正すべく小さくされる。一方、酸素センサ２６からの検出信号が理論空燃比で混合気を燃焼させたときの酸素濃度に対応する値よりも酸素濃度の高い側の値であるときには、上記混合気の空燃比が理論空燃比よりもリーンであることから、燃料噴射量を増量補正すべく上記フィードバック補正係数ＦＡＦが大きくされる。こうしたフィードバック補正係数ＦＡＦによる噴射量指令値Ｑfin （直接的には基本燃料噴射量Ｑbase）の補正を通じて、エンジン１の空燃比を理論空燃比へと制御する、いわゆる空燃比フィードバック制御が行われる。
【００４４】
以上のように算出される噴射量指令値Ｑfin に基づいた燃料噴射弁５の駆動、より詳しくは同弁５の開弁時間（燃料噴射時間）の調整により、同弁５の燃料噴射量が制御されることとなる。
【００４５】
また、エンジン１の燃料噴射制御としては、上記燃料噴射量制御のほか、エンジン１の燃費改善を図るべく自動車の減速時にエンジン１への燃料供給をカットするフューエルカット制御も行われる。このフューエルカット制御に関しては、自動車の減速時、車速が「０」よりも大きい値であり、且つアクセル踏込量が「０」など自動車の走行要求がない状況のもと、燃料噴射弁５からの燃料噴射を停止してエンジン１への燃料供給のカット（フューエルカット）を行うことにより実現される。なお、こうしたフューエルカットが実行されるときには、空燃比フィードバック制御を実行する意味はないため、上述したフィードバック補正係数ＦＡＦの増減は停止され、それによって同補正係数ＦＡＦを用いた空燃比フィードバック制御が停止されることとなる。
【００４６】
次に、流量制御弁１４の開度制御について説明する。
流量制御弁１４の開度制御は、電子制御装置１９により求められる開度指令値Ｂに基づいて行われる。すなわち、流量制御弁１４の開度が上記開度指令値Ｂへと調整されるよう同流量制御弁１４が駆動され、これにより流量制御弁１４の開度制御が実現されることとなる。そして、同開度制御を通じて流量制御弁１４が全閉状態から開き側に調整されたときには、燃焼室２から漏れたブローバイガスがクランクケース１０内に存在する揮発燃料とともに吸気通路３に戻される。このようにブローバイガスが吸気通路３に戻されているときには、同ガスに含まれる未燃燃料成分が燃焼室２での燃焼に用いられるため、エンジン１の燃焼室２における混合気の空燃比が理論空燃比に対しリッチ化する傾向にある。しかし、こうした空燃比のリッチ化に関しては、空燃比フィードバック制御におけるフィードバック補正係数ＦＡＦを用いた噴射量指令値Ｑfin の減量補正を通じて抑制が図られる。
【００４７】
流量制御弁１４の開度制御に用いられる上記開度指令値Ｂは、エンジン負荷等のエンジン運転状態に基づき可変とされる基本開度Ｂｂを用いて求められる。すなわち、エンジン負荷等に基づき可変とされる基本開度Ｂｂが開度指令値Ｂとして設定され、こうして開度指令値Ｂが求められることとなる。
【００４８】
流量制御弁１４の開度に関しては、燃焼室２からクランクケース１０内に漏れたブローバイガスの処理を速やかに行う観点から、同ガスのガス流量を多くすべく可能な限り開き側（増大側）の値とすることが好ましい。ただし、流量制御弁１４の開度を大きくし過ぎて吸気通路３に戻されるブローバイガスのガス流量が多くなり過ぎると、それに伴う燃焼室２内の混合気の空燃比のリッチ化を抑えるための空燃比フィードバック制御による燃料噴射量（噴射量指令値Ｑfin ）の減量補正も過度に大きく行われる。その結果、噴射量指令値Ｑfin が燃料噴射弁５からの安定した燃料噴射を実現可能な下限値である最小噴射量Ｑmin 未満になり、燃料噴射弁５からの安定した燃料噴射を行えなくなるおそれがある。こうしたことを考慮して、上記基本開度Ｂｂに関しては、空燃比フィードバック制御中に噴射量指令値Ｑfin を最小噴射量Ｑmin 以上とし得る開度範囲で可能な限り大きな値（開き側の値）である最適開度となるよう、エンジン負荷に基づき算出されることとなる。このように算出された基本開度Ｂｂは、エンジン負荷の変化に対し、例えば図２に示されるように推移する。
【００４９】
以上のように算出される基本開度Ｂｂに基づき開度指令値Ｂを求め、その開度指令値Ｂへと流量制御弁１４の開度を調整することにより、ブローバイガスの速やかな処理を図りつつ、その際の空燃比フィードバック制御に起因する燃料噴射量（噴射量指令値Ｑfin ）の最小噴射量Ｑmin 未満への減少を抑制することが可能になる。ただし、ブローバイガスの処理は上述したように可能な限り速やかに行うことが好ましく、この面で更なる改善を図ることが望まれている。
【００５０】
この実施形態では、こうした要求に応じるべく、空燃比フィードバック制御が行われず、且つ吸気通路３に戻されるブローバイガスがエンジン運転に過大な影響を及ぼすことのないエンジン運転状態にあるとき、流量制御弁１４をその開度が基本開度Ｂｂよりも開き側の開度である拡大開度Ｂｗとなるよう駆動する。より具体的には、上述したようなエンジン運転状態として、フューエルカット制御を通じてのエンジン１のフューエルカットの実行中、流量制御弁１４をその開度が拡大開度Ｂｗとなるよう駆動する。
【００５１】
このように流量制御弁１４の開度を拡大開度Ｂｗへと調整することにより、ブローバイガスの処理がより一層速やかに行われることとなる。なお、このときにはフューエルカットの実行中であって空燃比フィードバック制御が実行されず停止された状態となるため、流量制御弁１４の開度を拡大開度Ｂｗに調整して吸気通路３に戻されるブローバイガスのガス流量を多くしても、空燃比フィードバック制御に起因して燃料噴射量（噴射量指令値Ｑfin ）が最小噴射量Ｑmin 未満となることはない。また、フューエルカット中はエンジン１の自立運転が停止されているため、吸気通路３に戻されるブローバイガスがエンジン１の運転に影響を及ぼすこともない。そして、フューエルカット中に吸気通路３に戻されるブローバイガス中の未燃燃料成分（ＨＣ）は、エンジン１の燃焼室２を通過して排気通路４に設けられた触媒１５にて処理（浄化）される。
【００５２】
次に、流量制御弁１４の開度を拡大開度Ｂｗに調整する手順について、開度指令値設定ルーチンを示す図４のフローチャートを参照して説明する。この開度指令値設定ルーチンは、電子制御装置１９を通じて、例えば１６ｍｓ毎などの所定時間毎の時間割り込みにて周期的に実行される。
【００５３】
同ルーチンにおいては、流量制御弁１４の開度を拡大開度Ｂｗとするか否かを判断するための処理として、次の［１］〜［３］で示される各種の判断処理が実行される。［１］エンジン温度が高いか否かを判断するための処理（Ｓ１０１）。［２］吸気通路３に戻されるブローバイガス中の燃料濃度が高いか否かを判断するための処理（Ｓ１０２，Ｓ１０３）。［３］フューエルカット中であるか否かを判断するための処理（Ｓ１０４）。
【００５４】
そして、これら［１］〜［３］の判断処理で全て肯定判定である状況、すなわちエンジン温度が高い旨の判断、及びブローバイガス中の燃料濃度が高い旨の判断が行われ、更にフューエルカット中である状況のもとでは、流量制御弁１４の開度を拡大開度Ｂｗとするための処理（Ｓ１０５，Ｓ１０６）が実行される。また、上記［１］〜［３］の判断処理のうちいずれか一つで否定判定がなされると、流量制御弁１４の開度を基本開度Ｂｂとするための処理（Ｓ１０７，Ｓ１０８）が実行される。
【００５５】
以下、上記［１］〜［３］の各判断処理の詳細について列記する。
上記［１］の判断処理では、エンジン温度が高いか否かの判断として、エンジン１の冷却水温が所定値以上であるか否かが判断される（Ｓ１０１）。なお、ここでの所定値としては、例えば、エンジン１におけるクランクケース１０内の潤滑油の混合された燃料が多量に揮発するようになる温度が採用される。そして、ステップＳ１０１で肯定判定であれば、エンジン温度が高い旨判断される。
【００５６】
上記［２］の判断処理では、まず電子制御装置１９のＲＡＭに記憶されたブローバイガス中の燃料濃度が取り込まれる（Ｓ１０２）。こうして取り込まれるブローバイガス中の燃料濃度は、エンジン１の運転中に予め定められた検出条件が成立したときに検出され、ＲＡＭに記憶されたものである。
【００５７】
ちなみに、ブローバイガス中の燃料濃度に関しては、空燃比フィードバック制御中に流量制御弁１４の開度を全閉（「０」）と予め定められた検出用開度との間で変化させ、流量制御弁１４の全閉時のフィードバック補正係数ＦＡＦと同流量制御弁１４の開度を検出用開度としたときのフィードバック補正係数ＦＡＦとの偏差に基づき検出される。このように上記偏差に基づきブローバイガス中の燃料濃度を検出することが可能なのは、上記偏差がブローバイガス中の燃料濃度が高いときほど大きくなり、逆に同ブローバイガス中の燃料濃度が低いほど小さくなるという傾向を有するためである。そして、上記検出されたブローバイガス中の燃料濃は、電子制御装置１９のＲＡＭに記憶され、ステップＳ１０２，Ｓ１０３で用いられることとなる。
【００５８】
上記ステップＳ１０２でブローバイガス中の燃料濃度が取り込まれると、ステップＳ１０３において、同燃料濃度が高いか否かを判断するための処理として、同燃料濃度が所定値以上であるか否かが判断される。なお、ここでの所定値としては、例えば、エンジン１の冷えた状態での短期間の運転が繰り返された後にエンジン１が暖機完了まで運転されたときなど、エンジン１におけるクランクケース１０内の潤滑油に混合された燃料が多量に揮発する際の濃度が採用される。そして、ステップＳ１０３で肯定判定であれば、ブローバイガス中の燃料濃度が高い旨判断される。
【００５９】
上記［３］の判断処理では、フューエルカット制御においてフューエルカットの実行の有無を判断するためのフラグＦに基づき、フューエルカット中であるか否かが判断される（Ｓ１０４）。なお、上記フラグＦは、フューエルカット制御において、フューエルカット中であれば「１（実行）」とされ、フューエルカット中でなければ「０（停止）」とされるものである。従って、フラグＦが「１」であるときには、上記ステップＳ１０４で肯定判定がなされ、フューエルカット中である旨判断される。
【００６０】
以上の［１］〜［３］の判断処理が行われた結果、流量制御弁１４の開度を拡大開度Ｂｗとするための処理（Ｓ１０５，Ｓ１０６）と、流量制御弁１４の開度を基本開度Ｂｂとするための処理（Ｓ１０７，Ｓ１０８）とのうち、いずれか一方の処理が実行されることとなる。
【００６１】
すなわち、上記［１］〜［３］の判断処理のうちいずれか一つで否定判定がなされると、流量制御弁１４の開度を基本開度Ｂｂとするための処理として、エンジン負荷等に基づき基本開度Ｂｂが算出され（Ｓ１０７）、その基本開度Ｂｂが開度指令値Ｂに設定される（Ｓ１０８）。その結果、流量制御弁１４の開度が上記開度指令値Ｂとなるように同流量制御弁１４が駆動され、それによって同流量制御弁１４の開度が基本開度Ｂｂへと調整される。
【００６２】
一方、上記［１］〜［３］の判断処理で全て肯定判定であれば、流量制御弁１４の開度を拡大開度Ｂｗとするための処理として、車速及びブローバイガス中の燃料濃度に基づき拡大開度Ｂｗが算出され（Ｓ１０５）、その拡大開度Ｂｗが開度指令値Ｂに設定される（Ｓ１０６）。その結果、流量制御弁１４の開度が上記開度指令値Ｂとなるように同流量制御弁１４が駆動され、それによって同流量制御弁１４の開度が拡大開度Ｂｗへと調整される。
【００６３】
上記ステップＳ１０５において、拡大開度Ｂｗは、自動車の減速中にエンジン１のポンピングロスを利用した自動車の制動を必要レベルとし得る同流量制御弁１４の開度範囲のうち最も開き側の値となるように算出される。ちなみに、フューエルカットの行われる自動車の減速中においては、流量制御弁１４の開度を開き側の値とするほど、エンジン１のポンピングロスが少なくなり、そのポンピングロスを利用した自動車の制動（いわゆるエンジンプレーキ）が生じにくくなる。しかし、上述したように拡大開度Ｂｗを算出することにより、自動車の減速に伴うフューエルカット中に流量制御弁１４の開度を拡大開度Ｂｗに調整したとき、上記ポンピングロスを利用した自動車の制動を必要レベルに保持しつつ、可能な限り流量制御弁１４の開度を開き側の値としてブローバイガスの処理を速やかに行うことが可能になる。
【００６４】
また、こうした拡大開度Ｂｗの算出は、実験等により定められる車速と拡大開度Ｂｗとの関係を規定したマップを用いて行われる。このマップは、ブローバイガスの燃料濃度に応じて複数用意されている。そして、拡大開度Ｂｗの算出する際には、複数のマップのうちからブローバイガス中の燃料濃度に対応したマップが選択され、そのマップを参照して車速に基づき拡大開度Ｂｗの算出が行われる。こうして算出された拡大開度Ｂｗに関しては、例えば図３に示されるように、車速が高いほど閉じ側の値になるとともに、ブローバイガス中の燃料濃度が高いほど閉じ側の値となる。言い換えれば、拡大開度Ｂｗは、上記のように算出されることにより、車速が高いほど閉じ側の値となり、且つブローバイガス中の燃料濃度が高いほど閉じ側の値となるように、可変設定されることとなる。
【００６５】
以上詳述した本実施形態によれば、以下に示す効果が得られるようになる。
（１）空燃比フィードバック制御が行われているときには流量制御弁１４の開度が基本開度Ｂｂ（最適開度）に調整され、それによって同制御に起因する燃料噴射量（噴射量指令値Ｑfin ）の最小噴射量Ｑmin 未満への減少を抑制しつつ、ブローバイガスの速やかな処理が図られる。更に、空燃比フィードバック制御が行われず、且つ吸気通路３に戻されるブローバイガスがエンジン運転に過大な影響を及ぼすことのないエンジン運転状態にあるとき、より具体的には自動車の減速に伴うエンジン１のフューエルカット中に、流量制御弁１４の開度が上記基本開度Ｂｂよりも開き側の開度である拡大開度Ｂｗに調整される。これによりブローバイガスの処理をより一層速やかに行うことができるようになる。なお、フューエルカット中には空燃比フィードバック制御が実行されないため、流量制御弁１４の開度を拡大開度Ｂｗに調整して吸気通路３に戻されるブローバイガスのガス流量を多くしても、空燃比フィードバック制御に起因して燃料噴射量（噴射量指令値Ｑfin ）が最小噴射量Ｑmin 未満となることはない。また、フューエルカット中はエンジン１の自立運転が停止されているため、吸気通路３に戻されるブローバイガスがエンジン１の運転に影響を及ぼすこともない。
【００６６】
（２）ブローバイガス中の燃料濃度が高い旨判断されるときには、吸気通路３にブローバイガスを戻して同ガスの処理を速やかに行う必要性が高くなる。また、エンジン温度が高い旨判断されるときには、エンジン１におけるクランクケース１０内の潤滑油に混合した燃料が揮発してブローバイガス中の燃料濃度が高くなる。このような状況のもとで自動車の減速に伴うエンジン１のフューエルカットが実行されるとき、流量制御弁１４の開度が拡大開度Ｂｗに調整されるため、ブローバイガスの処理を速やかに行う必要性の高いときに同処理を速やかに行うことができる。
【００６７】
（３）フューエルカット中に吸気通路３に戻されるブローバイガス中の燃料成分は、エンジン１の燃焼室２を通過して排気通路４に設けられた触媒１５にて処理される。また、上記拡大開度Ｂｗに関しては、ブローバイガス中の燃料濃度が高いほど、閉じ側の値となるよう可変設定されることとなる。これにより、吸気通路３に戻されるブローバイガスによって排気通路４に流される燃料成分の量が触媒１５にて処理することの可能な量を越えないよう、且つ上記ブローバイガスのガス流量が可能な限り多い量となるよう、同ガス流量を調整することが可能になる。従って、ブローバイガスの処理を速やかに行いつつ、同ガスによって排気通路４に流される燃料成分を触媒１５にて処理しきれなくなることを抑制できるようになる。
【００６８】
（４）自動車の減速に伴うエンジン１のフューエルカット中、流量制御弁１４の開度を開き側の値にすればするほど、エンジン１のポンピングロスが低減してゆくため、そのポンピングロスを利用した自動車の制動（いわゆるエンジンブレーキ）も生じにくくなる。しかし、自動車の減速に伴うフューエルカット中の流量制御弁１４の開度である上記拡大開度Ｂｗは、上記ポンピングロスを利用した自動車の制動を必要とする車速の高い状態のときほど、閉じ側の値となるよう可変設定される。このため、上記フューエルカット中、上記ポンピングロスを利用した自動車の制動を必要レベルに保持しつつ、可能な限り流量制御弁１４の開度を開き側の値としてブローバイガスの処理を速やかに行うことが可能になる。
【００６９】
（５）上記拡大開度Ｂｗは、自動車の減速中にエンジン１のポンピングロスを利用した自動車の制動を必要レベルとし得る同流量制御弁１４の開度範囲のうち最も開き側の値となるように算出される。このため、フューエルカット中に流量制御弁１４の開度が拡大開度Ｂｗに調整されたとき、それによる自動車の減速時におけるエンジン１のポンピングロスを利用した制動を必要レベル以上に保持しつつ、ブローバイガスの処理を最も効率よく処理可能な状態とすることができる。
【００７０】
［第２実施形態］
次に、本発明の第２実施形態を図５〜図７に基づき説明する。
この実施形態は、第１実施形態のようにエンジン１のフューエルカット中に流量制御弁１４の開度を拡大開度Ｂｗに調整することに代えて、エンジン１における燃焼室２内の混合気の空燃比を理論空燃比よりもリッチにすべく燃料噴射量を増量補正する燃料増量制御の実行中に、流量制御弁１４の開度を拡大開度Ｂｗに調整するようにしたものである。ちなみに、このような燃料増量制御としては、エンジン１の運転状態が同エンジン１の高出力を必要とする運転領域にあるとき、その要求を満たすべく燃料噴射量を増量補正する燃料増量制御（以下、「パワー増量制御」という）があげられる。
【００７１】
こうした燃料増量制御の実行中には、フィードバック補正係数ＦＡＦの増減の停止を通じて空燃比フィードバック制御が実行停止される。また、上記燃料増量制御の実行中には、吸気通路３に戻されるブローバイガスのガス流量が増加して燃焼室２に供給される燃料成分の量が増えたとしても、それによる増加は、燃料増量制御による燃料噴射量の増量によって燃焼室２に供給される燃料の増加に比べると少なく、同制御中のエンジン運転に過大な影響を及ぼすことはない。従って、上記燃料増量制御の実行中は、空燃比フィードバック制御が行われず、且つ吸気通路３に戻されるブローバイガスがエンジン運転に過大な影響を及ぼすことのないエンジン運転状態になる。こうした燃料増量制御の実行中に流量制御弁１４の開度を拡大開度Ｂｗに調整することにより、第１実施形態と同様、ブローバイガスの処理をより一層速やかに行うことができるようになる。
【００７２】
なお、燃料増量制御としてのパワー増量制御が実行されるエンジン１の運転領域を図５に示す。同図から分かるように、パワー増量制御の実行されるエンジン１の運転領域は、エンジン１の高負荷運転領域、より詳しくは全負荷に近い高負荷運転領域がとなっている。また、エンジン１の運転領域において、パワー増量制御の実行される領域以外の領域に関しては、空燃比フィードバック制御の実行が許可される運転領域（以下、「Ｆ／Ｂ許可領域」という）となっている。
【００７３】
次に、本実施形態のエンジン１の燃料噴射量制御について、上記パワー増量制御を含めて詳しく説明する。
この燃料噴射量制御に関しては、以下の式（２）を用いて算出される噴射量指令値Ｑfin に対応した量の燃料が燃料噴射弁５から噴射されるよう、同燃料噴射弁５を上記噴射量指令値Ｑfin に基づき駆動することによって実現される。
【００７４】
Ｑfin ＝Ｑbase・ＦＡＦ・Ｈ１・Ｘ      …（２）
Ｑfin ：噴射量指令値
Ｑbase：基本燃料噴射量
ＦＡＦ：フィードバック補正係数
Ｈ１  ：パワー増量補正係数
Ｘ    ：その他の補正係数
式（２）においては、第１実施形態の式（１）における右辺にパワー増量係数Ｈ１を更に乗算したものとなっている。このパワー増量係数Ｈ１に関しては、エンジン運転状態が上記Ｆ／Ｂ許可領域にあるときには「１．０」に設定され、エンジン運転状態がパワー増量制御の実行される領域にあって同制御が実行されるときには「１．０」よりも大きい値に設定される。このようにパワー増量係数Ｈ１を「１．０」よりも大きい値とすることにより、パワー増量制御が実行され、燃料噴射量（噴射量指令値Ｑfin ）が増量されることとなる。パワー増量制御が実行されるときのパワー増量係数Ｈ１としては、予め実験等により定められた固定値を採用してもよいし、エンジン負荷等のエンジン運転状態に応じて変化する可変値を採用してもよい。また、パワー増量制御の実行中にはフィードバック補正係数ＦＡＦの増減は停止される。
【００７５】
なお、この実施形態のエンジン１においては、燃料として、ガソリン単体、アルコール単体、更にはガソリンとアルコールとを混合した燃料を使用可能となっている。そして、燃料中のアルコール濃度に関しては、式（２）のフィードバック補正係数ＦＡＦを利用して検出することが可能である。すなわち、燃料中のアルコール濃度が高くなるほど、混合気が完全燃焼する空燃比がリッチ側の値となることから、エンジン１の始動完了後に最初に空燃比フィードバック制御が実行された後、フィードバック補正係数ＦＡＦが初期値（「１．０」）から変化して安定したときの値が燃料中のアルコール濃度に対応した値となる。具体的には、燃料中のアルコール濃度が高くなるほど、フィードバック補正係数ＦＡＦの上記安定したときの値が「１．０」に対し増加側に離れた値となる。従って、フィードバック補正係数ＦＡＦの上記安定したときの値に基づき、燃料中のアルコール濃度を検出することができる。そして、その検出された燃料中のアルコール濃度は、電子制御装置１９のＲＡＭに記憶され、各種制御に用いられる。
【００７６】
次に、流量制御弁１４の開度を拡大開度Ｂｗに調整する手順について図７を参照して説明する。同図は、本実施形態の開度指令値設定ルーチンを示すフローチャートである。この開度指令値設定ルーチンも、電子制御装置１９を通じて、例えば１６ｍｓ毎などの所定時間毎の時間割り込みにて周期的に実行される。
【００７７】
同ルーチンにおいては、上記［１］の判断処理に相当する処理（Ｓ２０１）及び上記［２］の判断処理に相当する処理（Ｓ２０２，Ｓ２０３）が実行されるとともに、上記［３］の判断処理に代えて［４］燃料増量制御（この例ではパワー増量制御）の実行中であるか否かを判断するための処理（Ｓ２０４）が実行される。
【００７８】
そして、上記［１］の判断処理に相当する処理、上記［２］の判断処理に相当する処理、及び上記［４］の判断処理のうち、いずれか一つで否定判定がなされると、基本開度Ｂｂを算出する処理（Ｓ２０７）、及び同基本開度Ｂｂを開度指令値Ｂに設定する処理（Ｓ２０８）が順に行われる。その結果、流量制御弁１４の開度が上記開度指令値Ｂとなるように同流量制御弁１４が駆動され、それによって同流量制御弁１４の開度が基本開度Ｂｂへと調整される。
【００７９】
一方、上記［１］の判断処理に相当する処理、上記［２］の判断処理に相当する処理、及び上記［４］の判断処理で全て肯定判定である状況は、エンジン温度が高い旨の判断、及びブローバイガス中の燃料濃度が高い旨の判断が行われ、更に燃料増量制御の実行中である状況を意味する。このような状況のもとでは、流量制御弁１４の開度を拡大開度Ｂｗとするための処理（Ｓ２０５，Ｓ２０６）が実行される。
【００８０】
具体的には、燃料中のアルコール濃度及びブローバイガス中の燃料濃度に基づき拡大開度Ｂｗが算出され（Ｓ２０５）、その拡大開度Ｂｗが開度指令値Ｂに設定される（Ｓ２０６）。その結果、流量制御弁１４の開度が上記開度指令値Ｂとなるように同流量制御弁１４が駆動され、それによって同流量制御弁１４の開度が拡大開度Ｂｗへと調整される。
【００８１】
上記ステップＳ２０５において、拡大開度Ｂｗは、流量制御弁１４を基本開度Ｂｂよりも開き側の開度に駆動したときの燃料増量制御（パワー増量制御）への影響を許容し得る同流量制御弁１４の開度範囲のうち最も開き側の値となるように算出される。このように拡大開度Ｂｗを算出することにより、燃料増量制御の実行中に流量制御弁１４の開度を拡大開度Ｂｗに調整したとき、それによる燃料増量制御への影響を許容レベル未満に抑えつつ、可能な限り流量制御弁１４の開度を開き側の値としてブローバイガスの処理を速やかに行うことが可能になる。
【００８２】
また、こうした拡大開度Ｂｗの算出は、燃料中のアルコール濃度と拡大開度Ｂｗとの関係を規定したマップを用いて行われる。このマップは、ブローバイガスの燃料濃度に応じて複数用意されている。そして、拡大開度Ｂｗの算出する際には、複数のマップのうちからブローバイガス中の燃料濃度に対応したマップが選択され、そのマップを参照して燃料中のアルコール濃度に基づき拡大開度Ｂｗの算出が行われる。なお、上記燃料中のアルコール濃度に関しては、電子制御装置１９のＲＡＭに記憶されたものが用いられる。上記のように算出された拡大開度Ｂｗに関しては、例えば図６に示されるように、燃料中のアルコール濃度が高いほど開き側の値になるとともに、ブローバイガス中の燃料濃度が高いほど閉じ側の値となる。言い換えれば、拡大開度Ｂｗは、上記のように算出されることにより、燃料中のアルコール濃度が高いほど開き側の値となり、且つブローバイガス中の燃料濃度が高いほど閉じ側の値となるように、可変設定されることとなる。
【００８３】
以上詳述した本実施形態によれば、以下に示す効果が得られるようになる。
（６）燃料増量制御（パワー増量制御）が実行されるときには、空燃比フィードバック制御を停止し、燃料噴射量のパワー増量係数Ｈ１分の増量を行っているため、常に最小噴射量Ｑmin 以上の燃料噴射量が確保される。この状態においては、流量制御弁１４を基本開度Ｂｂよりも開き側に駆動して吸気通路３に戻されるブローバイガスのガス流量を多くしたとしても、それが上記空燃比フィードバック制御に影響を与えることはなく、燃料噴射量の最小噴射量Ｑmin に未満への減少に繋がることもない。また、流量制御弁１４の開度を拡大開度Ｂｗに調整することにより吸気通路３に戻されるブローバイガスのガス流量が増加して燃焼室２に供給される燃料成分の量が増えたとしても、それによる増加は、燃料増量制御による燃料噴射量の増量によって燃焼室２に供給される燃料の増加に比べると少ない。従って、流量制御弁１４の開度を拡大開度Ｂｗに調整することにより、吸気通路３に戻されるブローバイガスのガス流量が増えたとしても、それがエンジン運転に過大な影響を及ぼすことはない。このように、エンジン１の燃料増量制御中に流量制御弁１４の開度を拡大開度Ｂｗに調整することで、ブローバイガスの処理をより一層速やかに行うことができる。
【００８４】
（７）ブローバイガス中の燃料濃度が高い旨判断されるときには、吸気通路３にブローバイガスを戻して同ガスの処理を速やかに行う必要性が高くなる。また、エンジン温度が高い旨判断されるときには、エンジン１におけるクランクケース１０内の潤滑油に混合した燃料が揮発してブローバイガス中の燃料濃度が高くなる。このような状況のもとで燃料増量制御が実行されるとき、流量制御弁１４の開度が拡大開度Ｂｗに調整されるため、ブローバイガスの処理を速やかに行う必要性の高いときに同処理を速やかに行うことができる。
【００８５】
（８）ブローバイガス中の燃料濃度が高いほど、吸気通路３にブローバイガスを戻したときに、それによる燃料増量制御への影響が大きくなる。また、上記拡大開度Ｂｗに関しては、ブローバイガス中の燃料濃度が高いほど、閉じ側の値となるよう可変設定されることとなる。これにより、吸気通路３にブローバイガスを戻すことによる燃料増量制御への影響が許容レベル未満となるよう、且つ上記ブローバイガスのガス流量が可能な限り多い量となるよう、同ガス流量を調整することが可能になる。従って、ブローバイガスの処理を速やかに行いつつ、同ガスによる燃料増量制御への影響を許容レベル未満に抑えることができるようになる。
【００８６】
（９）燃料増量制御中における流量制御弁１４の開度とされる拡大開度Ｂｗは、燃料中のアルコール濃度が高いほど、開き側の値となるよう可変設定される。ここで、燃料中のアルコール濃度が高いほど、燃焼室２内の混合気を完全燃焼させるための空燃比がリッチ側の値になることから、ブローバイガスの処理において、より多量のブローバイガスを吸気通路３に戻すことが可能になる。このことを考慮して、燃料中のアルコール濃度が高いほど上記拡大開度Ｂｗを開き側の値となるように可変設定することができるため、ブローバイガスの処理をより一層速やかに行うことができる。
【００８７】
（１０）上記拡大開度Ｂｗは、流量制御弁１４を基本開度Ｂｂよりも開き側の開度に駆動したときの燃料増量制御（パワー増量制御）への影響を許容し得る同流量制御弁１４の開度範囲のうち最も開き側の値となるように算出される。このため、燃料増量制御の実行中に流量制御弁１４の開度を拡大開度Ｂｗに調整したとき、それによる燃料増量制御への影響を許容レベル未満に抑えつつ、ブローバイガスの処理を最も効率よく処理可能な状態とすることができる。
【００８８】
［その他の実施形態］
なお、上記各実施形態は、例えば以下のように変更することもできる。
・第１実施形態と第２実施形態とを組み合わせて実施してもよい。
【００８９】
・第２実施形態において、拡大開度Ｂｗをブローバイガス中の燃料濃度のみに応じて可変設定したり燃料中のアルコール濃度のみに応じて可変設定したりしてもよい。
・第２実施形態において、上記［１］の判断処理に相当する処理と上記［２］の判断処理に相当する処理とのいずれか一方のみ行うようにしてもよい。また、これらの処理については、必ずしも行う必要はなく、省略することも可能である。
【００９０】
・第２実施形態において、燃料増量制御として、混合気の空燃比をリッチ側の値として燃焼室の壁面温度やピストンの温度を低下させる制御が行われるエンジンに本発明を適用してもよい。同制御に関しては、その実行中に空燃比フィードバック制御が停止されることになるとともに、流量制御弁１４の基本開度Ｂｂよりも開き側への駆動により過大な影響を受けることはないため、この例においても第２実施形態と同等の効果が得られるようになる。
【００９１】
・第１実施形態において、拡大開度Ｂｗを車速のみに応じて可変設定したり燃料中のアルコール濃度のみに応じて可変設定したりしてもよい。
・第１実施形態において、上記［１］の判断処理と上記［２］の判断処理とのいずれか一方のみ行うようにしてもよい。また、これらの処理については、必ずしも行う必要はなく、省略することも可能である。
【００９２】
・第１及び第２実施形態において、拡大開度Ｂｗを、基本開度Ｂｂに対し実験等によって定められた固定値を加算することにより算出してもよい。
【図面の簡単な説明】
【００９３】
【図１】第１実施形態のブローバイガス処理装置が適用されるエンジン全体を示す略図。
【図２】エンジン負荷の変化に対する基本開度Ｂｂの変化を示すグラフ。
【図３】車速及びブローバイガス中の燃料濃度の各々の変化に対する拡大開度Ｂｗの変化を示すグラフ。
【図４】流量制御弁の開度を拡大開度Ｂｗに調整する手順を示すフローチャート。
【図５】燃料増量制御が実行されるエンジンの運転領域を示す説明図。
【図６】燃料中のアルコール濃度及びブローバイガス中の燃料濃度の各々の変化に対する拡大開度Ｂｗの変化を示すグラフ。
【図７】第２実施形態での流量制御弁の開度を拡大開度Ｂｗに調整する手順を示すフローチャート。
【符号の説明】
【００９４】
１…エンジン、２…燃焼室、３…吸気通路、４…排気通路、５…燃料噴射弁、６…点火プラグ、７…ピストン、７ａ…ピストンリング、８…クランクシャフト、９…シリンダ内壁、１０…クランクケース、１１…スロットルバルブ、１２…新気導入通路、１３…ガス流出通路、１４…流量制御弁、１５…触媒、１９…電子制御装置（制御手段）、２０…アクセルペダル、２１…アクセルポジションセンサ、２２…スロットルポジションセンサ、２３…エアフロメータ、２４…クランクポジションセンサ、２５…水温センサ、２６…酸素センサ、２７…車速センサ。
【図１】
2009185664.tif 000003
【図２】
2009185664.tif 000004
【図３】
2009185664.tif 000005
【図４】
2009185664.tif 000006
【図５】
2009185664.tif 000007
【図６】
2009185664.tif 000008
【図７】
2009185664.tif 000009